(57)【特許請求の範囲】
【請求項１】
被貼着体に貼着可能な下層ベースと、該下層ベースに接着される上層ベースとを備え、上層ベースは基材を複数折りすることにより、少なくとも第一ラベル部と第二ラベル部とが屈曲部を介して開閉自在に設けられたラベルにおいて、前記上層ベースの基材の屈曲部側が下層ベースに接着され、第一ラベル部及び第二ラベル部のそれぞれの対向面には、タックシートが接着され、さらに、第一ラベル部に接着されたタックシートの縁部が第一ラベル部の縁部に一致するように設けられ、第二ラベル部に接着されたタックシートの縁部が第二ラベル部の縁部に一致するように設けられ、各タックシートを切り込んで副タックラベルが剥離可能に形成され、前記屈曲部にはタックシートが接着されておらず、しかも、前記上層ベースにおける第二ラベル部の先端部側が、この第二ラベルに接着されたタックシートを介して前記下層ベースに剥離可能に接着されてなることを特徴とするラベル。
【発明の詳細な説明】
【０００１】
【発明の属する技術分野】
この発明は、例えば容器本体側に、応募シールやキャンペーンを目的とした付加的な表示を施すために貼着されるラベルに関する。
【０００２】
【従来の技術】
従来、お茶やジュース等の飲料や各種調味料等は、ガラスやプラスチック製の容器本体に充填され、販売されている。そして、このような飲料商品では、販売促進のために、商品の購入者が応募することにより、種々の景品が当たるといった景品キャンペーン等が頻繁に行われており、そのようなキャンペーンを行う場合には、応募シールやキャンペーン専用の表示を容器に直接印刷したり、容器本体に装着された筒状のラベルに印刷したりする以外に、応募シールやキャンペーン用のラベルを容器本体側に別途装着することが行われている。
【０００３】
前記ラベルは、図５に示す如く容器本体側に貼着可能な下層ベース５０と、該下層ベース５０に接着される上層ベース５１とを備え、上層ベース５１は基材５３を二つ折りすることにより、第一ラベル部５４と第二ラベル部５５とが屈曲部５６を介して開閉自在に設けられている。そして、各ラベル部５４，５５の両面が印刷されている。
【０００４】
また、下層ベース５０はタックシート５７の裏面に粘着剤５８が塗布されたもので、タックシート５７及び粘着剤５８を切り込むことにより、剥離可能な任意の形状の副タックラベル６０が形成されている。
【０００５】
【発明が解決しようとする課題】
しかしながら、上述した従来のラベルにあっては、副タックラベル６０が下層ベース５０にのみ設けられているだけであるため、副タックラベル用の大きな表示面積を確保することができず、例えばテレビアニメーション等のキャラクターをかたどった副タックラベルをおまけのシールとして付属させる事による販売促進効果を十分に発揮することができないといった問題があった。
【０００６】
また、上層ベース５１側にタックシートを貼着して副タックラベルを設けることも考えられるが、上層ベース５１は基材を折り曲げているため、基材とタックシートの複層で構成すると、その屈曲部分が厚くなり、折り曲げ難くなりタックシートが浮き上がったり、皺になったりしてしまう欠点がある。
【０００７】
そこで、本発明は、副タックラベルを複数折りされた上層ベース側に設けることにより、副タックラベルを設けることができる面積を大きくし、しかも、副タックラベルを上層ベース側に設けるにもかかわらず、上層ベースの屈曲部分を厚くすることなく容易に屈曲することができるようにすることを課題とする。
【０００８】
【課題を解決するための手段】
本発明の上記の課題を解決するための手段は、被貼着体に貼着可能な下層ベースと、該下層ベースに接着される上層ベースとを備え、上層ベースは基材を複数折りすることにより、少なくとも第一ラベル部と第二ラベル部とが屈曲部を介して開閉自在に設けられたラベルにおいて、前記上層ベースの基材の屈曲部側が下層ベースに接着され、第一ラベル部及び第二ラベル部のそれぞれの対向面には、タックシートが接着され、さらに、第一ラベル部に接着されたタックシートの縁部が第一ラベル部の縁部に一致するように設けられ、第二ラベル部に接着されたタックシートの縁部が第二ラベル部の縁部に一致するように設けられ、各タックシートを切り込んで副タックラベルが剥離可能に形成され、前記屈曲部にはタックシートが接着されておらず、しかも、前記上層ベースにおける第二ラベル部の先端部側が、この第二ラベルに接着されたタックシートを介して前記下層ベースに剥離可能に接着されてなることにある。
【０００９】
以上のように構成されたラベルでは、第一ラベル部及び第二ラベル部の互いの対向面には、副タックラベルが形成されるタックシートがそれぞれ接着されているので、副タックラベルを設ける面積を大きくすることができる。
【００１０】
しかも、上層ベースの基材の屈曲部には、タックシートが接着されていないため、屈曲部分の肉厚が厚くなることはなく、屈曲部の屈曲を容易に行える。
【００１１】
【発明の実施の形態】
以下、本発明の一実施の形態について図面を参照して説明する。図１及び図２に示すように、このラベル１は、例えば飲料商品の販売促進のために行われるキャンペーン用の表示を施したものであり、ポリエチレンテレフタレート製のボトルからなる容器本体Ｂの胴部に装着された筒状ラベル（被貼着体）Ｌ上に貼着されるものである。
【００１２】
前記ラベル１は、下層ベース３と、上層ベース５とから構成されている。
前記下層ベース３は、例えば厚さ３０〜３００μｍの矩形状の紙製シート又はプラスチック製シートからなる基材６の裏面に、粘着剤７が厚さ５〜５０μｍ程度に塗布されたものである。従って、下層ベース３は粘着剤７を介して剥離紙（セパレータ）８に剥離可能に貼着されている。尚、基材６の表面には、所定の印刷表示９が施されている。また、粘着剤７は基材６の全面に塗布して基材６の全面が接着できるようにしても良いが、一部を残して非接着にするため粘着剤の表面にマスク印刷を施して良い。
【００１３】
前記上層ベース５は基材１０と、該基材１０に粘着剤１１を介して貼着された第一タックシート１２ａと、第二タックシート１２ｂとから構成されている。基材１０はセパレータとしての機能を有し、屈曲部１３を中心にして二つ折りされている。上方の第二ラベル部１０ｂは、下方の第一ラベル部１０ａよりも若干長く設定されている。
【００１４】
そして、第一ラベル部１０ａの内面（第二ラベル部１０ｂとの対向面）には前記第一タックシート１２ａが接着され、また、第二ラベル部１０ｂの内面（第一ラベル部１０ａとの対向面）には第二タックシート１２ｂがそれぞれ貼着されているのであるが、両方のタックシートは、屈曲部１３には設けられていない。このように屈曲部１３を単層（基材層のみ）で構成しているため、薄肉とすることができ、屈曲部１３を容易に折り曲げることができ、折り癖を形成しやすくなる。
【００１５】
各タックシート１２ａ，１２ｂには、ハーフカット（タックシートと粘着剤とを切り込み基材は切り込まないようにすることをいう。）１４により、副タックラベル（タックラベル）１５ａ，１５ｂがそれぞれの形状に形成されている。尚、タックラベル１５ａ，１５ｂは、例えば同種類又は別種類の任意のキャラクターが印刷されている。尚、両方のラベル部１０ａ，１０ｂの外面には、それぞれ所定の印刷表示がなされている。
【００１６】
前記第一ラベル部１０ａの一端（屈曲部１３側）と前記下層ベースの基材６とは、接着剤（ホットメルト接着剤等）１７により接着されている。一方、第二ラベル部１０ｂの先端部側（屈曲部１３と反対側）は、直接又はタックシート１２１２ｂを介して前記基材６に接着剤（ホットメルト等）１８で接着されている。尚、第一ラベル部１０ａと基材６とは、強固に接着されており、第二ラベル部１０ｂと基材６とは、簡単に剥離できるように、第一ラベル部１０ａの接着力に比し弱く接着されている。
【００１７】
以上のように構成されたラベル１は、長尺状のセパレータ８に複数貼着されており、各ラベル１をセパレータ８から剥離し、図２（ロ）に示すように、第二ラベル部１０ｂの外面の印刷表示が目視できるように、下層ベースの基材６をシュリンクラベルＬの上端部に貼着する。このとき、第二ラベル部１０ｂの印刷表示が、容器本体Ｂの胴部外周面から上方に起立して小径の首部分から離間した状態となって目立ちやすくなる。このため、キャンペーン用のタックラベル１による十分な宣伝広告効果が発揮される。
【００１８】
ラベル１は、その屈曲部１３にタックシート１２ａ，１２ｂが貼着されておらず、基材６のみを屈曲させていることから、容易に折り癖が付けれると共に、第二ラベル部１０ｂの先端部側は、前記基材６に接着されているため、第一ラベル部１０ａと第二ラベル部１０ｂとが浮き上がることはなく、綺麗で見栄えの良い状態にラベル１を貼着できる。
【００１９】
更に、第二ラベル部１０ｂの先端部を前記基材６から剥離させた場合には、第一ラベル部１０ａ、第二ラベル部１０ｂ及び基材６を小冊子の如くそれぞれ見開き状態にすることができ、それぞれの印刷表示を目視することができる。また、第一ラベル部１０ａ及び第二ラベル部１０ｂの内面には、それぞれ副タックラベル１５ａ，１５ｂが貼着されていることから、所望のタックラベルを剥離して所定の箇所に貼着することができる。例えば、はがき等に貼着して応募ラベルとしても使用することもできる。
【００２０】
次に、本発明のラベル１の製造方法の一例を図３を参照しながら説明する。先ず、上層ベース５の基材１０に粘着剤１１を介して積層されたタックシート１２の長尺帯状シートに表示事項やキャラクター等のデザインを印刷する（同図（イ）参照。次に、それぞれの副タックラベル１５ａ，１５ｂの形状（周囲）と、第一タックシート１２ａと第二タックシート１２ｂの間に、長尺帯状シートの長手方向に連続して形成される屈曲部１３の両縁位置をダイカットによってハーフカットする（同図（ロ）参照）。
【００２１】
その後に、屈曲部１３に位置するタックシート１２ｃを剥離除去して上層ベース５の長尺帯状シートを作成する（同図（ハ）参照）。このとき、タックシート１２ｃは、長尺帯状シートの長手方向に連続しているため、容易に剥離することができる。
そして、上層ベース５を屈曲部１３で折り曲げた帯状シートを、別途形成した下層ベース３の前記位置にホットメルト接着剤１７，１８を直線状に塗布した後重ね合わせて本発明のラベル１が連接された長尺状シートが作成できる。このようにして作成した長尺状シートを各ラベル１毎に切断（又は打ち抜き）して本発明のラベル１が得られる。
【００２２】
本発明は、上記の実施の形態に限定されるものではなく、上層ベース５の基材１０は二つ折りに限らず、図４に示す如く三つ折りやそれ以上の複数折りが可能である。三つ折りの場合には、前記第一ラベル部１０ａから屈曲部１３ａを介して第三ラベル部１０ｃが、第二ラベル部１０ｂを覆うように延設され、第三ラベル部１０ｃの先端部が前記基材６に接着剤（ホットメルト接着剤等）１８で剥離可能に接着されている。更に、第三ラベル部１０ｃの内面にも、前記同様に副タックラベル１５ｃが粘着剤１１を介して貼着されている。
【００２３】
また、ラベル１は、筒状のラベルＬ以外に容器本体に直接貼着しても良い。例えば、容器本体Ｂが角ボトル又は角形のカップ状容器の場合は、ラベル１を容器本体Ｂの胴部側方に張り出すように、シュリンクラベルＬの正面部分の側縁部に貼着する等、種々の容器に種々の装着態様を採用することができる。
【００２４】
【発明の効果】
以上のように本発明は、上層ベースの基材の屈曲部側が下層ベースに接着され、第一ラベル部及び第二ラベル部のそれぞれの対向面には、タックシートが剥離可能にそれぞれ接着されると共に、各タックシートを切り込んで副タックラベルが形成され、前記屈曲部にはタックシートが接着されておらず、しかも、前記上層ベースの基材の先端部側が、前記下層ベースに剥離可能に接着されているので、副タックラベルとして機能する表示領域を大きくすることができ、副タックラベルを利用したキャンペーン用のラベルとして最良の形態であるといえる。
【００２５】
しかも、第一ラベル部及び第二ラベル部のそれぞれに副タックラベルを形成するタックシートを接着しているにもかかわらず、各タックシートが屈曲部にはタックシートが接着されていないため、屈曲部分の肉厚が厚くなるのを防止でき、屈曲部分を容易に屈曲することができ、第一ラベル部と第二ラベル部とが浮き上がることはなく、外観体裁も良い。
【図面の簡単な説明】
【図１】本発明の一実施の形態を示し、（イ）はラベルを所定角度開いた状態の正面側の斜視図、（ロ）は同背面側の斜視図。
【図２】（イ）はセパレータにラベルを貼着した状態の全体断面図、（ロ）は使用状態を示す斜視図。
【図３】ラベルの製造方法を工程をそれぞれ示し、（イ）は基材にタックシートを接着させた状態の長尺帯状シートの幅方向の断面図、（ロ）は同ハーフカットした状態の断面図、（ハ）はタックシートの余分な部分を剥離した状態の断面図。
【図４】本発明の他の実施の形態を示す全体断面図。
【図５】従来例を示す全体断面図。
【符号の説明】
１…ラベル、３…下層ベース、５…上層ベース、１０…基材、１２ａ，１２ｂ…タックシート、１３…屈曲部、１５ａ，１５ｂ…副タックラベル、Ｂ…容器本体（被貼着体）、Ｌ…シュリンクラベル
【図１】
0004344443.tif 000002
【図２】
0004344443.tif 000003
【図３】
0004344443.tif 000004
【図４】
0004344443.tif 000005
【図５】
0004344443.tif 000006